【手続補正書】
【提出日】平成17年7月4日(2005.7.4)
【手続補正１】
【補正対象書類名】明細書
【補正対象項目名】発明の名称
【補正方法】変更
【補正の内容】
【発明の名称】情報処理装置および方法
【手続補正２】
【補正対象書類名】明細書
【補正対象項目名】特許請求の範囲
【補正方法】変更
【補正の内容】
【特許請求の範囲】
【請求項１】
所定のマスタークロックを分周して第１の周波数の第1のクロックを出力するとともに、前記マスタークロックを分周して前記第１の周波数と異なる第２の周波数の第２のクロックを出力する分周手段と、
前記第１のクロックに基づいて第１のコンテンツ情報を処理する第１のコンテンツ情報処理手段と、
前記第２のクロックに基づいて第２のコンテンツ情報を処理する第２のコンテンツ情報処理手段と、
前記第１のコンテンツ情報、または、前記第２のコンテンツ情報を選択するとともに、前記第１のクロックまたは前記第２のクロックのうちの、選択されたコンテンツ情報に対応するクロックに基づいて、前記選択されたコンテンツ情報を出力するコンテンツ情報出力手段と
を備えることを特徴とする情報処理装置。
【請求項２】
前記第１または第２のコンテンツ情報のうち、少なくとも一方は、記録媒体に記録されたコンテンツ情報とされる
ことを特徴とする請求項１に記載の情報処理装置。
【請求項３】
前記第１または第２のコンテンツ情報のうち、少なくとも一方は、前記情報処理装置の外部から入力されたコンテンツ情報とされる
ことを特徴とする請求項１に記載の情報処理装置。
【請求項４】
前記第１および第２のコンテンツ情報は、ビデオ信号とオーディオ信号とを含む
ことを特徴とする請求項１に記載の情報処理装置。
【請求項５】
前記コンテンツ情報出力手段は、さらに、前記第１のコンテンツ情報のビデオ信号と、前記第２のコンテンツ情報のビデオ信号とを合成して出力する
ことを特徴とする請求項４に記載の再生装置。
【請求項６】
所定のマスタークロックを分周して第１の周波数の第1のクロックを出力するとともに、前記マスタークロックを分周して前記第１の周波数と異なる第２の周波数の第２のクロックを出力する分周ステップと、
前記第１のクロックに基づいて第１のコンテンツ情報を処理する第１のコンテンツ情報処理ステップと、
前記第２のクロックに基づいて第２のコンテンツ情報を処理する第２のコンテンツ情報処理ステップと、
前記第１のコンテンツ情報、または、前記第２のコンテンツ情報を選択するとともに、前記第１のクロックまたは前記第２のクロックのうちの、選択されたコンテンツ情報に対応するクロックに基づいて、前記選択されたコンテンツ情報を出力するコンテンツ情報出力ステップと
を含むことを特徴とする情報処理方法。
【手続補正３】
【補正対象書類名】明細書
【補正対象項目名】０００１
【補正方法】変更
【補正の内容】
【０００１】
【発明の属する技術分野】
本発明は、情報処理装置および方法に関し、特に、コンテンツ情報の出力の切換えを瞬時に行うことができるようにした、情報処理装置および方法に関する。
【手続補正４】
【補正対象書類名】明細書
【補正対象項目名】０００８
【補正方法】変更
【補正の内容】
【０００８】
その結果、例えば、４８ｋHzの周波数のクロックでハードディスクにデータを記録し、４４．１ｋHzの周波数のクロックでCDを再生する場合、マスタークロックの周波数の設定を変更する必要があるため、クロックが安定するまでに時間がかかり、結局、音声の切り替えがスムーズにできないという課題があった。
【手続補正５】
【補正対象書類名】明細書
【補正対象項目名】０００９
【補正方法】変更
【補正の内容】
【０００９】
本発明は、このような状況に鑑みてなされたものであり、コンテンツ情報の出力の切換えを瞬時に行うことができるようにするものである。
【手続補正６】
【補正対象書類名】明細書
【補正対象項目名】００１０
【補正方法】変更
【補正の内容】
【００１０】
【課題を解決するための手段】
本発明の情報処理装置は、所定のマスタークロックを分周して第１の周波数の第1のクロックを出力するとともに、マスタークロックを分周して第１の周波数と異なる第２の周波数の第２のクロックを出力する分周手段と、第１のクロックに基づいて第１のコンテンツ情報を処理する第１のコンテンツ情報処理手段と、第２のクロックに基づいて第２のコンテンツ情報を処理する第２のコンテンツ情報処理手段と、第１のコンテンツ情報、または、第２のコンテンツ情報を選択するとともに、第１のクロックまたは第２のクロックのうちの、選択されたコンテンツ情報に対応するクロックに基づいて、選択されたコンテンツ情報を出力するコンテンツ情報出力手段とを備えることを特徴とする。
【手続補正７】
【補正対象書類名】明細書
【補正対象項目名】００１１
【補正方法】変更
【補正の内容】
【００１１】
第１または第２のコンテンツ情報のうち、少なくとも一方は、記録媒体に記録されたコンテンツ情報とさせることができる。また、第１または第２のコンテンツ情報のうち、少なくとも一方は、情報処理装置の外部から入力されたコンテンツ情報とさせることができる。
【手続補正８】
【補正対象書類名】明細書
【補正対象項目名】００１２
【補正方法】変更
【補正の内容】
【００１２】
第１および第２のコンテンツ情報は、ビデオ信号とオーディオ信号とを含むことができる。この場合、出力制御手段には、さらに、第１のコンテンツ情報のビデオ信号と、第２のコンテンツ情報のビデオ信号とを合成して出力させることができる。
【手続補正９】
【補正対象書類名】明細書
【補正対象項目名】００１３
【補正方法】変更
【補正の内容】
【００１３】
本発明の情報処理方法は、所定のマスタークロックを分周して第１の周波数の第1のクロックを出力するとともに、マスタークロックを分周して第１の周波数と異なる第２の周波数の第２のクロックを出力する分周ステップと、第１のクロックに基づいて第１のコンテンツ情報を処理する第１のコンテンツ情報処理ステップと、第２のクロックに基づいて第２のコンテンツ情報を処理する第２のコンテンツ情報処理ステップと、第１のコンテンツ情報、または、第２のコンテンツ情報を選択するとともに、第１のクロックまたは第２のクロックのうちの、選択されたコンテンツ情報に対応するクロックに基づいて、選択されたコンテンツ情報を出力するコンテンツ情報出力ステップとを含むことを特徴とする。
【手続補正１０】
【補正対象書類名】明細書
【補正対象項目名】００１４
【補正方法】変更
【補正の内容】
【００１４】
本発明においては、所定のマスタークロックを分周して第１の周波数の第1のクロックが出力されるとともに、マスタークロックを分周して第１の周波数と異なる第２の周波数の第２のクロックが出力される。そして、第１のクロックに基づいて第１のコンテンツ情報が処理され、第２のクロックに基づいて第２のコンテンツ情報が処理される。第１のコンテンツ情報、または、第２のコンテンツ情報が選択されるとともに、第１のクロックまたは第２のクロックのうちの、選択されたコンテンツ情報に対応するクロックに基づいて、選択されたコンテンツ情報が出力される。
【手続補正１１】
【補正対象書類名】明細書
【補正対象項目名】００３２
【補正方法】変更
【補正の内容】
【００３２】
ステップＳ２において、再生が選択されたと判定された場合、制御部２は、ステップＳ３で、光ディスク５Ｂから再生するオーディオ信号のサンプリングクロックの周波数ｆsは、現在設定されている再生用クロックの周波数ｆspbと等しいか否かを判定し、等しくないと判定された場合、処理をステップＳ４に進める。例えば、記録再生部５に装着され、これから再生される光ディスク５ＢがCDである場合、そのサンプリング周波数は、４４．１kHzである。これに対して、光ディスク５ＡがDVDである場合、サンプリングクロックの周波数は、４８kHzまたは９６kHzである。
【手続補正１２】
【補正対象書類名】明細書
【補正対象項目名】００６７
【補正方法】変更
【補正の内容】
【００６７】
このように、記録する音声を制御する（ハードディスク５Ａを制御する）周波数ｆsrecのクロックを生成する分周部４Ａと、再生する音声を制御する（光ディスク５Ｂを制御する）周波数ｆspbのクロックを生成する分周部４Ｂを、それぞれ別に設けることにより、異なる記録媒体に対して、記録と再生を同時に行うことが可能となる。また、記録と再生のクロックの周波数が異なる場合においても、同時に生成することが可能となる。従って、記録と再生の音声の切換え（ディスクの切換え、あるいはコンテンツの切換え）を瞬時に行うことが可能になる。
【手続補正１３】
【補正対象書類名】明細書
【補正対象項目名】００７２
【補正方法】変更
【補正の内容】
【００７２】
【発明の効果】
以上のように、本発明によれば、第１のクロックに基づいて処理された第１のコンテンツ情報、または、第２のクロックに基づいて処理された第２のコンテンツ情報のうちの、選択されたコンテンツ情報を出力する場合において、コンテンツ情報の出力を、途切れさせることなく、瞬時に切換えることができる。